Podtech/llm-jp-corpus-v4-ja_patent huggingface dataset:
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
第１回転モータおよび第２回転モータを有するヘッド部と、
前記ヘッド部に軸支され、前記第１回転モータと動力伝達機構を介して連結され、操作者によって操作される操作部と、
前記ヘッド部に取り付けられた軸部と、
前記軸部の先端に配設され、対象物を挟む把持部と、
前記軸部を貫通し、一端がリンク機構を介して前記把持部と連結され、他端が前記第２回転モータと動力伝達機構を介して連結された操作部材と、
前記第１回転モータおよび前記第２回転モータを制御する制御部と、を備え、
前記制御部は、加速度基準のバイラテラル制御により、前記第１回転モータと前記第２回転モータの角度偏差に応じて、前記第１回転モータと前記第２回転モータの角度応答を制御し、前記第１回転モータと前記第２回転モータのトルク偏差に応じて、前記第１回転モータと前記第２回転モータのトルク応答を制御し、
前記制御部は、前記加速度基準のバイラテラル制御において、
前記第１回転モータおよび前記第２回転モータにおける角度及びトルクを、外乱オブザーバ、および、反力トルク推定オブザーバを用いて制御し、
前記外乱オブザーバは、外乱トルクの総和を推定し、推定された外乱トルクを用いた補償を行うものであり、
前記反力トルク推定オブザーバは、前記外乱オブザーバにより推定された外乱トルクの総和から、予め推定できる内部摩擦などの他の力を差し引くことにより反作用トルクを推定するものであり、
前記第１回転モータと前記第２回転モータの角度偏差に応じて、前記第１回転モータと前記第２回転モータの角度応答を制御し、
前記第１回転モータと前記第２回転モータのトルク偏差に応じて前記第１回転モータと前記第２回転モータのトルク応答を制御する、鉗子システム。
【請求項２】
前記制御部は、前記第１回転モータと前記第２回転モータとの間において、トルクおよび角度の少なくとも一方にスケーリングを生じさせる、請求項１に記載の鉗子システム。
【請求項３】
前記軸部は、前記ヘッド部に対して着脱可能に構成されている、請求項１または請求項２に記載の鉗子システム。
【請求項４】
送信手段をさらに備え、前記送信手段は、前記制御部から、前記第１回転モータおよび前記第２回転モータのそれぞれにおける、トルクおよび角度のデータを取得し、当該データを外部解析装置に送信する、請求項１から３のいずれか一項に記載の鉗子システム。
【手続補正書】
【提出日】令和1年9月6日(2019.9.6)
【手続補正１】
【補正対象書類名】明細書
【補正対象項目名】００１８
【補正方法】変更
【補正の内容】
【００１８】
図１に示すように、車両の前方の窓は、車体２に設けられた窓開口１に、窓本体を構成する窓板４０が後方に緩やかに傾斜された状態で嵌め込まれることで構成されている。窓開口１は、典型的には、車両の左右の側枠を構成するピラー３０Ｌ，３０Ｒと、ルーフパネル３と、窓板４０の下縁部４０ｂに沿って配置される図示しないカウルルーバー等により取り囲まれて構成されている。ここで、図３および図４に示すように、窓開口１の左右のピラー３０Ｌ，３０Ｒと窓板４０とは、シーラント３４ａによって固定され、シーラント３４ａのはみ出しを抑えるためのダムラバー３４ｂが窓板の全周に亘って設けられている。しかしながら、ピラー３０Ｌ，３０Ｒと窓板４０の側端部４０ａとの間には、外観視で所定の隙間Ｇが形成される。かかる隙間Ｇを塞ぐように、窓板４０の左右の側端部４０ａの上端から下端に亘って上下方向に長尺の右側装着用ピラーガーニッシュ１０Ｒおよび左側装着用ピラーガーニッシュ１０Ｌがそれぞれ取り付けられている。
【手続補正２】
【補正対象書類名】明細書
【補正対象項目名】００４６
【補正方法】変更
【補正の内容】
【００４６】
上記実施形態では、装飾部材１２と取付部材２０とを熱かしめにより一体的に固定したが、装飾部材１２と取付部材２０との固定方法はその他の方法であってもよい。例えば、装飾部材１２と取付部材２０とをレーザー溶着してもよい。
レーザー溶着では、一方の部材の材料をレーザーを透過する透過材とし、他方の部材の材料をエネルギーを吸収して溶融する吸収材とする。また、例えば、取付部材２０を車体２に備えられたクリップ等の係合部材（図示せず）に嵌める場合、取付部材２０が破損することを防止するため、取付部材２０の本体部２１を構成する材料を装飾部材１２を構成する材料よりも剛性の高い材料にするとよい。したがって、装飾部材１２と取付部材２０とをレーザー溶着する場合は、装飾部材１２を透過材であるポリカーボネートやアクリル樹脂等により構成し、取付部材２０の本体部２１を吸収材であるＡＥＳ樹脂等により構成するとよい。
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
ボトルの形成に適したプラスチックプリフォームであって、
密閉体と係合するように適合され、最も下の位置において支持環部を含む首部であって、第１の壁厚を有しており、前記支持環部が少なくとも１ｍｍの幅で構成される、首部と、
円筒状の壁部、および端部蓋を含む細長い本体部と、
を備え、
前記本体部は、０．３ｍｍ〜０．５ｍｍの第２の壁厚及び伸長仕上げを有する、前記支持環部に隣接する上方部分を備え、
前記本体部は、前記第２の壁厚より厚い第３の壁厚を有する中間部分をさらに備えることを特徴とするプラスチックプリフォーム。
【請求項２】
前記第２の壁厚は、前記第３の壁厚の１０％〜４０％であることを特徴とする請求項１に記載のプラスチックプリフォーム。
【請求項３】
前記第２の壁厚は、前記第３の壁厚の２５％〜３０％であることを特徴とする請求項１に記載のプラスチックプリフォーム。
【請求項４】
前記上方部分の軸線方向の長さは、前記首部の軸線方向の長さの２５％以上であることを特徴とする請求項１に記載のプラスチックプリフォーム。
【請求項５】
前記上方部分の軸線方向の長さは、前記首部の軸線方向の長さの２５％〜３５％であることを特徴とする請求項１に記載のプラスチックプリフォーム。
【請求項６】
前記第２の壁厚は、０．７ｍｍ〜０．８ｍｍであることを特徴とする請求項１に記載のプラスチックプリフォーム。
【請求項７】
前記第２の壁厚は、前記第１の壁厚と同一であることを特徴とする請求項１に記載のプラスチックプリフォーム。
【請求項８】
前記中間部分は、前記上方部分と隣接することを特徴とする請求項１に記載のプラスチックプリフォーム。
【請求項９】
請求項１に記載のプリフォームから作られたことを特徴とするボトルまたは容器。
【請求項１０】
所定材料で形成されるプラスチックプリフォームであって、
支持環部を備える首部であって、前記支持環部は、少なくとも１ｍｍの幅を有し、前記首部は第１の壁厚を有する、首部と、
前記支持環部と隣接する本体部であって、前記本体部は、少なくとも、上方部分及び中間部分を有する細長い円筒状の壁を含む、本体部と、
を備え、
前記上方部分は、前記支持環部と隣接し、０．３ｍｍ〜０．５ｍｍの第２の壁厚を備え、
前記中間部分は、前記第２の壁厚より厚い第３の壁厚を備え、
前記所定材料には、紫外線保護を高める第１の添加物が含まれていることを特徴とする
プラスチックプリフォーム。
【請求項１１】
前記第２の壁厚は、前記第３の壁厚の１０％〜４０％であることを特徴とする請求項１０に記載のプラスチックプリフォーム。
【請求項１２】
前記第２の壁厚は、前記第３の壁厚の２５％〜３０％であることを特徴とする請求項１０に記載のプラスチックプリフォーム。
【請求項１３】
前記上方部分の軸線方向の長さは、前記首部の軸線方向の長さの２５％以上であることを特徴とする請求項１０に記載のプラスチックプリフォーム。
【請求項１４】
前記上方部分の軸線方向の長さは、前記首部の軸線方向の長さの２５％〜３５％であることを特徴とする請求項１０に記載のプラスチックプリフォーム。
【請求項１５】
前記第２の壁厚は、０．７ｍｍ〜０．８ｍｍであることを特徴とする請求項１０に記載のプラスチックプリフォーム。
【請求項１６】
前記第２の壁厚は、前記第１の壁厚と同一であることを特徴とする請求項１０に記載のプラスチックプリフォーム。
【請求項１７】
前記中間部分は、前記上方部分と隣接することを特徴とする請求項１０に記載のプラスチックプリフォーム。
【請求項１８】
前記本体部は、端部蓋を有する下方部分をさらに備えることを特徴とする請求項１０に記載のプラスチックプリフォーム。
【請求項１９】
請求項１０に記載のプリフォームから作られたことを特徴とするボトルまたは容器。
【手続補正書】
【提出日】令和1年8月7日(2019.8.7)
【手続補正１】
【補正対象書類名】明細書
【補正対象項目名】００３５
【補正方法】変更
【補正の内容】
【００３５】効果（改善）  判定
◎：大いにある  →  ８名
○：あり  →  １名
△：有無判定困難  →  １名
×：なし  →  ０名
また副反応は０名でした。
【手続補正２】
【補正対象書類名】明細書
【補正対象項目名】００４４
【補正方法】変更
【補正の内容】
【００４４】効果（改善）  判定
◎：大いにある  →  ６名
○：あり  →  ２名
△：有無判定困難  →  ２名
×：なし  →  ０名
また副反応は０名でした。
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
ポリエチレン系樹脂からなるヒートシール性フィルムであって、
該ヒートシール性フィルムは、植物由来エチレンと石油由来α−オレフィンとが気相重合法により共重合された植物由来の直鎖状低密度ポリエチレン系樹脂を５〜９０重量％と、石油由来のポリエチレン系樹脂を１０〜９５重量％とを混合した樹脂が溶融押出された単層構成のフィルムからなり、
該ポリエチレン系樹脂は、放射性炭素年代測定14Ｃの測定値から算定するバイオマス度が８０〜１００％未満のエチレン−α−オレフィン共重合体であることを特徴とする包装材用シーラントフィルム。
【請求項２】
ポリエチレン系樹脂からなるヒートシール性フィルムであって、
該ヒートシール性フィルムは、植物由来エチレンと石油由来α−オレフィンとが気相重合法により共重合された植物由来の直鎖状低密度ポリエチレン系樹脂を５〜９０重量％と、石油由来のポリエチレン系樹脂を１０〜９５重量％とを混合した樹脂が溶融押出された層を少なくとも１層含む多層構成のフィルムからなり、
該ポリエチレン系樹脂は、放射性炭素年代測定14Ｃの測定値から算定するバイオマス度が８０〜１００％未満のエチレン−α−オレフィン共重合体であることを特徴とする包装材用シーラントフィルム。
【請求項３】
前記α−オレフィンが、ブテン−１またはヘキセン−１またはこれらの混合物であって、前記植物由来の直鎖状低密度ポリエチレン系樹脂は、密度が０．９１０〜０．９２５ｇ／ｃｍ3、メルトフローレートが０．５〜４．０ｇ／１０分の物性を有することを特徴とする請求項１または２に記載の包装材用シーラントフィルム。
【請求項４】
請求項１ないし３のいずれか１項に記載の包装材用シーラントフィルムを、基材フィルムと積層させたことを特徴とする包装材用積層フィルム。
【請求項５】
請求項１ないし３のいずれか１項に記載の包装材用シーラントフィルムを用いてなることを特徴とする包装袋。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
車両の自動運転システムに適用される走行制御装置であって、
自車両の周囲の状況を認識する周囲認識部（１０１）と、
前記周囲認識部の認識機能に異常が生じたか否かを判断する異常判断部（１０２）と、
前記異常判断部が前記周囲認識部の認識機能に異常が生じたと判断した場合に、認識機能に異常が生じた方向である異常認識方向に応じて、自動運転システムにおける自動運転の処置を変更する処置変更制御を実行する制御部（１０３）と、を備え、
前記異常判断部は、異常が生じた自車両が隊列走行を行っているか否かを判断する隊列判断処理を実行し、
前記制御部は、前記隊列判断処理の結果に応じて前記処置変更制御を実行するものであって、
前記隊列判断処理の結果が隊列走行中であることを示す場合に、
前記制御部は、隊列を組んでいる他車両が前記異常認識方向に対して認識補完できるように隊列中における自車両の位置を設定する、走行制御装置。
【請求項２】
請求項１に記載の走行制御装置であって、
前記制御部は、前記異常認識方向と前記異常認識方向を認識可能な他車両の状況とに応じて、前記処置変更制御を実行する、走行制御装置。
【請求項３】
請求項２に記載の走行制御装置であって、
前記制御部は、他車両から前記異常認識方向における認識結果を受信し、この受信した認識結果に基づいて前記処置変更制御を実行する、走行制御装置。
【請求項４】
請求項３に記載の走行制御装置であって、
前記制御部は、他車両から認識結果を受信し、受信した認識結果に基づいて前記異常認識方向における認識を補完し続けられるように、自車両及び／又は他車両の走行態様を制御する、走行制御装置。
【請求項５】
請求項１に記載の走行制御装置であって、
前記制御部は、隊列中における自車両位置を変更する場合、自車両を車線変更せずに他車両に車線変更を行わせる、走行制御装置。
【請求項６】
請求項１に記載の走行制御装置であって、
前記制御部は、隊列中における自車両位置を変更する場合、前記異常認識方向に応じて自車両を車線変更させる、走行制御装置。
【請求項７】
請求項１に記載の走行制御装置であって、
前記隊列判断処理の結果が隊列走行中でないことを示す場合に、
前記制御部は、前記異常認識方向に対して認識補完できる他車両と隊列走行を行うように制御する、走行制御装置。
【請求項８】
請求項７に記載の走行制御装置であって、
前記制御部は、隊列走行可能な他車両を検出すると、その他車両に対して隊列走行を行うように要請する隊列要請情報を出力する、走行制御装置。
【請求項９】
請求項８に記載の走行制御装置であって、
前記制御部は、自車両が走行中のレーンと他車両が走行中のレーンとの関係、及び／又は自車両と他車両との速度差を勘案して前記隊列要請情報を出力する、走行制御装置。
【請求項１０】
請求項１から５のいずれか１項に記載の走行制御装置であって、
前記制御部は、隊列走行中の全車両を、隊列を組んだまま停止させ、他車両に隊列を解除するように要請する隊列停止処理を実行する、走行制御装置。
【請求項１１】
請求項１０に記載の走行制御装置であって、
前記制御部は、自車両の複数の認識機能に異常が発生した場合に前記隊列停止処理を実行する、走行制御装置。
【請求項１２】
請求項１０に記載の走行制御装置であって、
前記制御部は、自車両の進行方向と他車両の進行方向とが異なる場合に前記隊列停止処理を実行する、走行制御装置。
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
消耗品に備え付けられた管理チップにより前記消耗品の情報を管理する画像形成装置であって、
前記管理チップを制御する制御手段を備え、
前記管理チップは、
記憶領域がブロック単位で構成されたチップ側記憶手段と、
前記チップ側記憶手段に、前記消耗品に関する情報を前記ブロック単位で一括して書き込む一括書込み手段と、
前記チップ側記憶手段に、前記消耗品に関する情報を前記記憶領域の所定単位で書き込む所定単位書込み手段と
を備え、
前記制御手段は、時間制約のあるタイミングでは前記一括書込み手段により前記消耗品に関する情報を書き込むように制御し、時間制約のないタイミングでは前記所定単位書込み手段により前記消耗品に関する情報を書き込むように制御することを特徴とする画像形成装置。
【請求項２】
前記時間制約のあるタイミングは、複数の用紙に、連続的に印刷処理を実行する場合の前記複数の用紙の紙間のタイミングであることを特徴とする請求項１に記載の画像形成装置。
【請求項３】
前記時間制約のあるタイミングは、連続的に実行される印刷ジョブの間のタイミングであることを特徴とする請求項１に記載の画像形成装置。
【請求項４】
前記時間制約のないタイミングとは、記録ヘッドがキャッピングされた後のタイミングであることを特徴とする請求項１に記載の画像形成装置。
【請求項５】
前記時間制約のないタイミングとは、スタンバイ状態に遷移した後のタイミングであることを特徴とする請求項１に記載の画像形成装置。
【請求項６】
消耗品に備え付けられた管理チップにより前記消耗品の情報を管理する画像形成装置であって、
前記管理チップを制御する制御手段を備え、
前記管理チップは、
記憶領域がブロック単位で構成されたチップ側記憶手段と、
前記チップ側記憶手段に、前記消耗品に関する情報を前記ブロック単位で一括して書き込む一括書込み手段と、
前記チップ側記憶手段に、前記消耗品に関する情報を所定単位で書き込む所定単位書込み手段と
を備え、
前記制御手段は、前記画像形成装置において実行されている印刷ジョブが正常に終了しなかった場合に、前記消耗品に関する情報を、前記一括書込み手段により書き込むように制御した後に、前記所定単位書込み手段により書き込むように制御することを特徴とする画像形成装置。
【請求項７】
前記印刷ジョブが正常に終了しなかった場合とは、紙詰まりによる終了であることを特徴とする請求項６に記載の画像形成装置。
【請求項８】
消耗品に備え付けられた管理チップにより前記消耗品の情報を管理する画像形成装置であって、
前記管理チップを制御する制御手段を備え、
前記管理チップは、
記憶領域がブロック単位で構成されたチップ側記憶手段と、
前記チップ側記憶手段に、前記消耗品に関する情報を前記ブロック単位で一括して書き込む一括書込み手段と、
前記チップ側記憶手段に、前記消耗品に関する情報を前記記憶領域の所定単位で書き込む所定単位書込み手段と
を備え、
前記制御手段は、前記画像形成装置の起動時に、前記チップ側記憶手段への書き込みが必要と判定した場合に、前記画像形成装置の起動中に前記一括書込み手段により書き込むように制御し、スタンバイ状態に遷移した後に前記所定単位書込み手段により書き込むように制御することを特徴とする画像形成装置。
【請求項９】
前記消耗品に関連付けて、前記消耗品に関する情報を記憶する装置側記憶手段をさらに備え、
前記制御手段は、前記装置側記憶手段に記憶された前記消耗品に関する情報に基づいて、前記チップ側記憶手段への書き込みを制御することを特徴とする請求項１から８のいずれか１項に記載の画像形成装置。
【請求項１０】
前記チップ側記憶手段は、前記ブロック単位で、当該ブロックへの前記消耗品に関する情報の一括での書き込みを管理する管理ビット領域を備え、
前記一括書込み手段は、前記消耗品に関する情報を、前記管理ビット領域に書き込むことを特徴とする請求項１から９のいずれか１項に記載の画像形成装置。
【請求項１１】
前記記憶領域の所定単位が、前記記憶領域の最小単位であることを特徴とする請求項１から１０のいずれか１項に記載の画像形成装置。
【請求項１２】
前記チップ側記憶手段は、ＯＴＰ-ＲＯＭであることを特徴とする請求項１から１１のいずれか１項に記載の画像形成装置。
【請求項１３】
インクジェット方式により印刷する記録手段をさらに備えることを特徴とする請求項１から１２のいずれか１項に記載の画像形成装置。
【請求項１４】
コンピュータを、請求項１から１３のいずれか１項に記載の画像形成装置の各手段として機能させるためのプログラム。
【請求項１５】
消耗品に備え付けられた管理チップにより前記消耗品の情報を管理する画像形成装置における消耗品の管理方法であって、
前記管理チップは、
記憶領域がブロック単位で構成されたチップ側記憶手段と、
前記チップ側記憶手段に、前記消耗品に関する情報を前記ブロック単位で一括して書き込む一括書込み手段と、
前記チップ側記憶手段に、前記消耗品に関する情報を前記記憶領域の所定単位で書き込む所定単位書込み手段と
を備え、
制御手段により、時間制約のあるタイミングでは前記一括書込み手段により前記消耗品に関する情報を書き込むように制御し、時間制約のないタイミングでは前記所定単位書込み手段により前記消耗品に関する情報を書き込むように制御するステップを含むことを特徴とする画像形成装置における消耗品の管理方法。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
記録材色が異なる複数の記録材カートリッジを、記録材色ごとに予め定められた各装着位置に装着して記録媒体に記録を行う記録装置であって、
前記各装着位置の前記記録材カートリッジの装着状態を判定するためのポーリングを行い、前記記録材カートリッジの装着状態が未装着から装着に変化した一の装着位置を検出した場合に、該一の装着位置に装着された前記記録材カートリッジから記録材色を示す色情報を読出す読出手段と、
前記色情報によって示される記録材色と前記一の装着位置に対応する記録材色とが異なる場合に、誤装着されていることをユーザに通知する通知手段と、を備え、
前記読出手段は、前記各装着位置の前記記録材カートリッジの装着状態を判定するためのポーリングを行い前記記録材カートリッジの装着状態が装着のまま維持されていると判定された装着位置に装着された前記記録材カートリッジから記録材色を示す色情報を読出す処理を省略する
ことを特徴とする記録装置。
【請求項２】
前記記録材カートリッジは、前記色情報を格納する記憶媒体を有し、
前記読出手段は、
前記各装着位置について、前記記録材カートリッジの前記記憶媒体へのアクセスを繰り返し実行し、前記アクセスに成功した装着位置について、前記記録材カートリッジが装着されていると判定し、前記アクセスに失敗した装着位置について、前記記録材カートリッジが未装着であると判定する
ことを特徴とする請求項１に記載の記録装置。
【請求項３】
前記読出手段は、
前記各装着位置のそれぞれについて、前記記録材カートリッジからの前記色情報の読出しが必要であるか否かを示す情報取得必要フラグを保持し、
前記記録材カートリッジが未装着である装着位置に対応する前記情報取得必要フラグをＯＮに設定し、
前記記録材カートリッジの装着状態が未装着から装着に変化した前記一の装着位置について、前記情報取得必要フラグがＯＮに設定されている場合に、前記記録材カートリッジから前記色情報を読出す
ことを特徴とする請求項１または請求項２に記載の記録装置。
【請求項４】
前記読出手段は、
前記一の装着位置に装着された前記記録材カートリッジからの前記色情報の読出しに成功した場合には、前記一の装着位置に対応する前記情報取得必要フラグをＯＦＦに設定する
ことを特徴とする請求項３に記載の記録装置。
【請求項５】
前記読出手段は、
前記一の装着位置に装着された前記記録材カートリッジからの前記色情報の読出しに失敗した場合には、前記一の装着位置に対応する前記情報取得必要フラグをＯＮのままにする
ことを特徴とする請求項３または請求項４に記載の記録装置。
【請求項６】
前記読出手段は、
前記一の装着位置に装着された前記記録材カートリッジからの前記色情報の読出しに成功した場合でも、読出した前記色情報にデータの誤りがある場合には、前記一の装着位置に対応する前記情報取得必要フラグをＯＮのままにする
ことを特徴とする請求項３から請求項５のうちのいずれか１項に記載の記録装置。
【請求項７】
筐体内部に装着された前記複数の記録材カートリッジを交換するための開口部と、
前記開口部を開閉するカバーと、をさらに備え、
前記カバーが閉状態である場合には、前記読出手段による処理が行われない
ことを特徴とする請求項１から請求項６のうちのいずれか１項に記載の記録装置。
【請求項８】
筐体内部に装着された前記複数の記録材カートリッジを交換するための開口部と、
前記開口部を開閉するカバーと、をさらに備え、
前記カバーが開状態である場合に、前記各装着位置の前記記録材カートリッジの装着状態を判定するための前記ポーリングが行われることを特徴とする請求項１から請求項６のうちのいずれか１項に記載の記録装置。
【請求項９】
前記通知手段は、
前記カバーが閉じられた場合に、前記一の装着位置に装着された前記記録材カートリッジから前記カバーが開いている状態で最後に読出された、前記色情報によって示される記録材色が、前記一の装着位置に対応する記録材色と異なっているときには、前記一の装着位置において前記記録材カートリッジが誤装着されていることをユーザに通知する
ことを特徴とする請求項７または請求項８に記載の記録装置。
【請求項１０】
インクジェット方式による記録動作を行う記録制御手段をさらに備えることを特徴とする請求項１から請求項９のうちのいずれか１項に記載の記録装置。
【手続補正２】
【補正対象書類名】明細書
【補正対象項目名】発明の名称
【補正方法】変更
【補正の内容】
【発明の名称】記録装置
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
遊技機に対する異常状態を報知する報知音と、遊技の進行に応じた演出音とを出力する音声出力手段と、
演出表示手段と、
前記音声出力手段から出力する音量を変更するために遊技者が操作することが可能な遊技者音量調整手段と、
前記音声出力手段と前記演出表示手段とを演出の進行にもとづいて制御する演出制御手段と、
電源遮断時に記憶されているデータが保持されない第１ＲＡＭと、電源遮断時でも記憶されているデータが一定期間保持される第２ＲＡＭと、を備え遊技機において、
前記演出制御手段は、複数の音設定部を有し、
前記複数の音設定部には、前記遊技者音量調整手段の操作に応じて音量変更が可能な演出音データと、前記遊技者音量調整手段の操作に応じて音量変更が不可能な報知音データとが個別に設定され、
前記複数の音設定部に設定された音データを合成する合成手段と、
前記合成手段により合成された後の第２音量値を設定する合成音量値設定手段と
を備え、
前記複数の音設定部のうち前記演出音データが設定される音設定部には前記遊技者音量調整手段の操作に応じて変更可能な第１音量値が設定され、
前記遊技者音量調整手段を遊技者が操作することにより、前記音設定部に設定されている演出音データの第１音量値を変更可能とし、
前記合成音量値設定手段で設定された音量に基づいて前記音声出力手段から出力され、
前記演出音データを前記音設定部に設定するための前記演出制御手段に入力される音指令データは、前記第１ＲＡＭに記憶される
ことを特徴とする遊技機。
【手続補正２】
【補正対象書類名】明細書
【補正対象項目名】０００４
【補正方法】変更
【補正の内容】
【０００４】
ところで、遊技機は、異常状態の発生を気付き難くいという問題があった。
【手続補正３】
【補正対象書類名】明細書
【補正対象項目名】０００５
【補正方法】変更
【補正の内容】
【０００５】
本発明は、このような事情に鑑みてなされたものであり、その目的とするところは、ホールの店員等が異常状態の発生を気付き難くなることを防止することができる遊技機を提供することにある。
【手続補正４】
【補正対象書類名】明細書
【補正対象項目名】０００７
【補正方法】変更
【補正の内容】
【０００７】
（解決手段１）
遊技機に対する異常状態を報知する報知音と、遊技の進行に応じた演出音とを出力する音声出力手段と、
演出表示手段と、
前記音声出力手段から出力する音量を変更するために遊技者が操作することが可能な遊技者音量調整手段と、
前記音声出力手段と前記演出表示手段とを演出の進行にもとづいて制御する演出制御手段と、
電源遮断時に記憶されているデータが保持されない第１ＲＡＭと、電源遮断時でも記憶されているデータが一定期間保持される第２ＲＡＭと、を備え遊技機において、
前記演出制御手段は、複数の音設定部を有し、
前記複数の音設定部には、前記遊技者音量調整手段の操作に応じて音量変更が可能な演出音データと、前記遊技者音量調整手段の操作に応じて音量変更が不可能な報知音データとが個別に設定され、
前記複数の音設定部に設定された音データを合成する合成手段と、
前記合成手段により合成された後の第２音量値を設定する合成音量値設定手段と
を備え、
前記複数の音設定部のうち前記演出音データが設定される音設定部には前記遊技者音量調整手段の操作に応じて変更可能な第１音量値が設定され、
前記遊技者音量調整手段を遊技者が操作することにより、前記音設定部に設定されている演出音データの第１音量値を変更可能とし、
前記合成音量値設定手段で設定された音量に基づいて前記音声出力手段から出力され、
前記演出音データを前記音設定部に設定するための前記演出制御手段に入力される音指令データは、前記第１ＲＡＭに記憶される
ことを特徴とする遊技機。
【手続補正５】
【補正対象書類名】明細書
【補正対象項目名】００１３
【補正方法】変更
【補正の内容】
【００１３】
本発明の遊技機においては、ホールの店員等が異常状態の発生を気付き難くなることを防止することができる。
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
生体適合性セラミックス材料からなるセラミックス焼結体の外表面の全面にレーザ非熱加工面を備え、
前記レーザ非熱加工面は、
幅が１０μｍ以上、５００μｍ以下、深さが５μｍ以上、１００μｍ以下の大溝と、
前記大溝の内面に配置されて、幅が１μｍ以上、５０μｍ以下、深さが１μｍ以上、２０μｍ以下の小溝と、
前記小溝の内面に配置されて、先端径がナノメートルサイズの指頭形状の多数の微絨毛体と、
を有する歯科用フィクスチャー。
【請求項２】
生体適合性セラミックス材料からなるセラミックス焼結体を形成する工程と、
前記セラミックス焼結体の外表面に対してレーザ非熱加工を施して、
幅が１０μｍ以上、５００μｍ以下、深さが５μｍ以上、１００μｍ以下の大溝と、
前記大溝の内面に配置されて、幅が１μｍ以上、５０μｍ以下、深さが１μｍ以上、２０μｍ以下の小溝と、
前記小溝の内面に配置されて、先端径がナノメートルサイズの指頭形状の多数の微絨毛体と、
を有するレーザ非熱加工面を前記外表面の全面に形成する工程と、
を含む歯科用インプラントの形成方法。
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
無採血の血糖測定補正方法であって、
測定対象の皮膚領域に光を照射するステップと；
皮膚から反射した光から、カメラのイメージセンサーを用いて、皮下血管を含む皮膚領域に対するピクセルイメージ映像をリアルタイムで獲得するステップであって、前記カメラは、血糖情報スペクトラムを含む波長範囲をフィルタリングする血糖情報選択用の第１波長フィルターおよび脈拍情報スペクトラムに該当する波長範囲をフィルタリングする脈拍情報選択用の第２波長フィルターを含み、
前記反射した光を前記第１フィルターに通過させて第１ピクセルイメージ映像をリアルタイムで獲得するステップ；および
前記反射した光を前記第２フィルターに通過させて第２ピクセルイメージ映像をリアルタイムで獲得するステップを含む、
前記ピクセルイメージ映像をリアルタイムで獲得するステップと；
リアルタイムで獲得されたピクセルイメージ映像から皮下血管に該当するピクセルを識別し、識別されたピクセルから皮膚上の特定の位置に対応する第１ピクセルを選択し、前記第１ピクセルイメージ映像の前記第１ピクセルにおける時間によるピクセル情報の変化を示す第１信号を獲得し、前記第２ピクセルイメージ映像の前記第１ピクセルにおける時間によるピクセル情報の変化を示す第２信号を獲得するステップであって、獲得された第１信号は、特定の皮下血管領域の血糖情報および脈拍情報を含み、獲得された第２信号は、前記特定の皮下血管領域の脈拍情報を含む、前記第１および第２信号を獲得するステップと；
前記第１信号から前記第２信号を除去して、脈拍信号が補正された血糖信号をリアルタイムで獲得するステップと；
血管の太さと血流速度から血流量を計算し、計算された血流量および前記血糖信号から血糖量を計算するステップとを含む、無採血の血糖測定補正方法。
【請求項２】
前記ピクセルイメージ映像は皮膚環境情報を含み、
前記第１および第２信号を獲得するステップは、前記皮膚環境情報を補正するステップを含む、請求項１に記載の無採血の血糖測定補正方法。
【請求項３】
前記皮膚環境情報を補正するステップは、
リアルタイムで獲得されたピクセルイメージ映像から、皮下血管が通っていない皮膚領域の特定の位置に対応する第２ピクセルを選択するステップ；
前記第１ピクセルイメージ映像の前記第２ピクセルにおける時間によるピクセル情報の変化を示す第３信号を獲得するステップ；
前記第２ピクセルイメージ映像の前記第２ピクセルにおける時間によるピクセル情報の変化を示す第４信号を獲得するステップ；
前記第１ピクセルイメージ映像の前記第１ピクセルにおける時間によるピクセル情報の変化を示す信号から前記第３信号を除去して、皮膚環境情報が補正された第１信号を獲得するステップ；および
前記第２ピクセルイメージ映像の前記第１ピクセルにおける時間によるピクセル情報の変化を示す信号から前記第４信号を除去して、皮膚環境情報が補正された第２信号を獲得するステップを含む、請求項２に記載の無採血の血糖測定補正方法。
【請求項４】
皮下血管と識別された領域に該当する前記第１ピクセルと、皮下血管が通っていない皮膚領域に該当する前記第２ピクセルとは、互いに隣接したピクセルである、請求項３に記載の無採血の血糖測定補正方法。
【請求項５】
前記皮膚環境情報は、血流量の変化、血管の太さおよび皮膚色のうち一つ以上に係る情報である、請求項２に記載の無採血の血糖測定補正方法。
【請求項６】
前記光は、白色光である、請求項１に記載の無採血の血糖測定補正方法。
【請求項７】
前記皮下血管を含む皮膚領域は、手首である、請求項１に記載の無採血の血糖測定補正方法。
【請求項８】
リアルタイムで血糖の確認が可能であるように、前記血糖信号は、一つの脈拍パルスのみによっても測定可能であることを特徴とする、請求項１に記載の無採血の血糖測定補正方法。
【請求項９】
無採血の血糖測定補正装置であって、
測定対象の皮膚領域に光を照射する、光源；および
皮膚から反射した光から、皮下血管を含む皮膚領域に対するピクセルイメージ映像をリアルタイムで獲得するためのイメージセンサーを含むカメラであって、血糖情報スペクトラムを含む波長範囲をフィルタリングする血糖情報選択用の第１波長フィルターおよび脈拍情報スペクトラムに該当する波長範囲をフィルタリングする脈拍情報選択用の第２波長フィルターを含み、前記ピクセルイメージ映像は、前記反射した光を前記第１フィルターに通過させてリアルタイムで獲得された第１ピクセルイメージ映像、および、前記反射した光を前記第２フィルターに通過させてリアルタイムで獲得された第２ピクセルイメージ映像を含む、前記カメラ；および
信号処理部を含むサーバーを含み、
前記信号処理部は、
リアルタイムで獲得されたピクセルイメージ映像から皮下血管に該当するピクセルを識別し、識別されたピクセルから皮膚上の特定の位置に対応する第１ピクセルを選択し、前記第１ピクセルイメージ映像の前記第１ピクセルにおける時間によるピクセル情報の変化を示す第１信号を獲得し、前記第２ピクセルイメージ映像の前記第１ピクセルにおける時間によるピクセル情報の変化を示す第２信号を獲得し、獲得された第１信号は、特定の皮下血管領域の血糖情報および脈拍情報を含み、獲得された第２信号は、前記特定の皮下血管領域の脈拍情報を含み；
前記第１信号から前記第２信号を除去して、脈拍信号が補正された血糖信号をリアルタイムで獲得し；
血管の太さと血流速度から血流量を計算し、計算された血流量および前記血糖信号から血糖量を計算するように構成される、無採血の血糖測定補正装置。
【請求項１０】
前記ピクセルイメージ映像は、皮膚環境情報を含み、
前記信号処理部は、前記皮膚環境情報を補正して前記第１および第２信号を獲得するように構成される、請求項９に記載の無採血の血糖測定補正装置。
【請求項１１】
前記信号処理部は、前記皮膚環境情報を補正するために、
リアルタイムで獲得されたピクセルイメージ映像から、皮下血管が通っていない皮膚領域の特定の位置に対応する第２ピクセルを選択し；
前記第１ピクセルイメージ映像の前記第２ピクセルにおける時間によるピクセル情報の変化を示す第３信号を獲得し；
前記第２ピクセルイメージ映像の前記第２ピクセルにおける時間によるピクセル情報の変化を示す第４信号を獲得し；
前記第１ピクセルイメージ映像の前記第１ピクセルにおける時間によるピクセル情報の変化を示す信号から前記第３信号を除去して、皮膚環境情報が補正された第１信号を獲得し；
前記第２ピクセルイメージ映像の前記第２ピクセルにおける時間によるピクセル情報の変化を示す信号から前記第４信号を除去して、皮膚環境情報が補正された第２信号を獲得するように構成される、請求項１０に記載の無採血の血糖測定補正装置。
【請求項１２】
前記サーバーは、通信網を通じて前記血糖測定補正装置と連結される、請求項９に記載の無採血の血糖測定補正装置。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
多数のドットが縦横に並べて構成された表示画面を有する表示手段と、
画像データを予め記憶した表示用記憶手段と、
多数の単位設定領域を有する設定用記憶手段に前記画像データを設定することで当該設定用記憶手段に描画データを作成し、当該描画データに応じた画像信号を前記表示手段に出力することに基づき前記表示画面に画像を表示させる表示制御手段と、
を備えている遊技機において、
前記画像データは、色情報を規定する数値情報が対応付けられた単位画像データを多数有しており、
前記各単位設定領域は、限界数値までの範囲内において数値情報を設定可能な構成であり、
当該数値情報として大きな数値が設定されているほどその単位設定領域に対応したドットにおいて明るい色が表示されるように前記表示制御手段により前記画像信号が出力される構成であり、
前記表示制御手段は、
複数の個別画像が前記表示画面の奥行き方向に重なるように、それら個別画像に対応した画像データを設定する画像データ設定手段と、
前記複数の個別画像において相互に重なる各単位画像データに対応する数値情報を加算する加算処理を実行する加算処理実行手段と、
当該加算処理の結果のデータを、前記設定用記憶手段において前記相互に重なる各単位画像データに対応した単位設定領域に設定する設定処理実行手段と、
前記奥行き方向に重なるように表示される奥側個別画像及び手前側個別画像のうち前記奥側個別画像において前記手前側個別画像と重なる部分に対応する前記単位画像データの数値情報を低減させ、前記奥側個別画像において前記手前側個別画像と重ならない部分に対応する前記単位画像データに対しては当該低減を行わない反映低減手段と、
を備えており、
当該遊技機は、
前記奥側個別画像の前記画像データを前記設定用記憶手段に設定した後、前記手前側個別画像の前記画像データを前記設定用記憶手段に設定することが可能に構成されており、
前記手前側個別画像の前記画像データを前記設定用記憶手段に設定する場合に前記反映低減手段による前記低減を実行可能とする手段を備えていることを特徴とする遊技機。
【請求項２】
遊技媒体を利用して遊技が行われることを特徴とする請求項１に記載の遊技機。
【手続補正２】
【補正対象書類名】明細書
【補正対象項目名】０００７
【補正方法】変更
【補正の内容】
【０００７】
ここで、複数の個別画像が表示画面の奥行き方向に重なるようにして表示される場合に、その表示を良好に行うことが可能な構成を提供する必要があり、この点について未だ改良の余地がある。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明は、上記例示した事情等に鑑みてなされたものであり、複数の個別画像が表示画面の奥行き方向に重なるようにして表示される場合に、その表示を良好に行うことが可能な遊技機を提供することを目的とするものである。
【手続補正５】
【補正対象書類名】明細書
【補正対象項目名】００１０
【補正方法】変更
【補正の内容】
【００１０】
本発明は、
多数のドットが縦横に並べて構成された表示画面を有する表示手段と、
画像データを予め記憶した表示用記憶手段と、
多数の単位設定領域を有する設定用記憶手段に前記画像データを設定することで当該設定用記憶手段に描画データを作成し、当該描画データに応じた画像信号を前記表示手段に出力することに基づき前記表示画面に画像を表示させる表示制御手段と、
を備えている遊技機において、
前記画像データは、色情報を規定する数値情報が対応付けられた単位画像データを多数有しており、
前記各単位設定領域は、限界数値までの範囲内において数値情報を設定可能な構成であり、
当該数値情報として大きな数値が設定されているほどその単位設定領域に対応したドットにおいて明るい色が表示されるように前記表示制御手段により前記画像信号が出力される構成であり、
前記表示制御手段は、
複数の個別画像が前記表示画面の奥行き方向に重なるように、それら個別画像に対応した画像データを設定する画像データ設定手段と、
前記複数の個別画像において相互に重なる各単位画像データに対応する数値情報を加算する加算処理を実行する加算処理実行手段と、
当該加算処理の結果のデータを、前記設定用記憶手段において前記相互に重なる各単位画像データに対応した単位設定領域に設定する設定処理実行手段と、
前記奥行き方向に重なるように表示される奥側個別画像及び手前側個別画像のうち前記奥側個別画像において前記手前側個別画像と重なる部分に対応する前記単位画像データの数値情報を低減させ、前記奥側個別画像において前記手前側個別画像と重ならない部分に対応する前記単位画像データに対しては当該低減を行わない反映低減手段と、
を備えており、
当該遊技機は、
前記奥側個別画像の前記画像データを前記設定用記憶手段に設定した後、前記手前側個別画像の前記画像データを前記設定用記憶手段に設定することが可能に構成されており、
前記手前側個別画像の前記画像データを前記設定用記憶手段に設定する場合に前記反映低減手段による前記低減を実行可能とする手段を備えている。
【手続補正６】
【補正対象書類名】明細書
【補正対象項目名】００１１
【補正方法】変更
【補正の内容】
【００１１】
複数の個別画像が表示画面の奥行き方向に重なるようにして表示される場合に、その表示を良好に行うことが可能となる。
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
ゲームプログラムであって、
前記ゲームプログラムは、プロセッサと、メモリと、タッチスクリーンとを備えるコンピュータにより実行されるものであり、前記プロセッサに、
ゲーム空間に、ユーザの操作に応答して動作をする操作キャラクタを配置する第１ステップと、
前記ゲーム空間に配置される仮想カメラの設定に基づいて第１のゲーム画面を生成し、生成した前記第１のゲーム画面を前記タッチスクリーンに表示させる第２ステップと、
前記第１のゲーム画面を表示させてゲームを進行させた状態で、前記タッチスクリーンに対して前記ユーザがタップ操作を行う第１の操作に応答して、前記第１の操作に対応する第１の攻撃アクションを前記操作キャラクタに行わせる第３ステップと、
前記第１のゲーム画面を表示させてゲームを進行させた状態で、前記タッチスクリーンにおいて前記操作キャラクタが向いている方向とは逆方向に前記ユーザがタッチ位置を移動させる第２の操作に応答して、前記第２の操作に対応する第２の攻撃アクションを前記操作キャラクタに行わせる第４ステップと、を実行させる、ゲームプログラム。
【請求項２】
前記メモリにおいて、前記操作キャラクタが、前記第２の操作に応答して前記第２の攻撃アクションを前記操作キャラクタが実行することができない第１の状態か、実行することができる第２の状態かを記憶するように構成されており、
前記ゲームプログラムは、前記プロセッサに、さらに、
前記操作キャラクタを前記第１の状態から前記第２の状態へ移行させるための第３の操作を前記ユーザから受け付ける第５ステップと、
前記第３の操作に応答して、前記操作キャラクタを前記第１の状態から前記第２の状態に移行させる第６ステップと、をさらに実行させ、
前記第４ステップにおいて、前記操作キャラクタが前記第１の状態である場合に、前記第２の操作にかかわらず前記第２の攻撃アクションを前記操作キャラクタに行わせず、前記操作キャラクタが前記第２の状態である場合に、前記第２の操作に応答して前記第２の攻撃アクションを前記操作キャラクタに行わせる、請求項１に記載のゲームプログラム。
【請求項３】
前記ゲームプログラムは、前記プロセッサに、さらに、
前記第１のゲーム画面とは異なる第２のゲーム画面において、前記操作キャラクタが前記第１の状態か前記第２の状態かのいずれであるかを示すＵＩ（User  Interface）画像を前記タッチスクリーンに表示する第７ステップを実行させ、
前記第５ステップにおいて、前記第３の操作を前記ユーザから受け付けることとは、前記ＵＩ画像に対する前記ユーザの操作を受け付けることであり、
前記第６ステップにおいて、前記操作キャラクタを前記第１の状態から前記第２の状態に移行させるとともに、前記ＵＩ画像を、前記操作キャラクタが前記第２の状態であることを示す表示態様に変更する、請求項２に記載のゲームプログラム。
【請求項４】
前記第１の攻撃アクションは、前記第２の攻撃アクションよりもホーミング性能が高いアクションであり、前記第２の攻撃アクションは、前記第１の攻撃アクションよりも高い攻撃力のアクションである、請求項１から３のいずれか１項に記載のゲームプログラム。
【請求項５】
プロセッサと、メモリと、タッチスクリーンとを備えるコンピュータがゲームを実行する方法であって、
前記方法は、前記プロセッサが、前記メモリに記憶されるゲームプログラムを実行することにより、
ゲーム空間に、ユーザの操作に応答して動作をする操作キャラクタを配置する第１ステップと、
前記ゲーム空間に配置される仮想カメラの設定に基づいて第１のゲーム画面を生成し、生成した前記第１のゲーム画面を前記タッチスクリーンに表示する第２ステップと、
前記第１のゲーム画面を表示させてゲームを進行させた状態で、前記タッチスクリーンに対して前記ユーザがタップ操作を行う第１の操作に応答して、前記第１の操作に対応する第１の攻撃アクションを前記操作キャラクタに行わせる第３ステップと、
前記第１のゲーム画面を表示させてゲームを進行させた状態で、前記タッチスクリーンにおいて前記操作キャラクタが向いている方向とは逆方向に前記ユーザがタッチ位置を移動させる第２の操作に応答して、前記第２の操作に対応する第２の攻撃アクションを前記操作キャラクタに行わせる第４ステップと、を実行する、方法。
【請求項６】
制御部と、記憶部と、タッチスクリーンとを備える情報処理装置であって、
前記記憶部は、ゲームプログラムを記憶するように構成されており、
前記制御部は、前記記憶される前記ゲームプログラムを実行することにより、
ゲーム空間に、ユーザの操作に応答して動作をする操作キャラクタを配置し、
前記ゲーム空間に配置される仮想カメラの設定に基づいて第１のゲーム画面を生成し、生成した前記第１のゲーム画面を前記タッチスクリーンに表示し、
前記第１のゲーム画面を表示させてゲームを進行させた状態で、前記タッチスクリーンに対して前記ユーザがタップ操作を行う第１の操作に応答して、前記第１の操作に対応する第１の攻撃アクションを前記操作キャラクタに行わせ、
前記第１のゲーム画面を表示させてゲームを進行させた状態で、前記タッチスクリーンにおいて前記操作キャラクタが向いている方向とは逆方向に前記ユーザがタッチ位置を移動させる第２の操作に応答して、前記第２の操作に対応する第２の攻撃アクションを前記操作キャラクタに行わせる、情報処理装置。
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
コーヒー飲料のブリューイングを制御する方法であって、
プロセッサを用いて、コーヒー飲料を作るために用いられる前記コーヒー飲料のための識別子を受信するステップであって、前記識別子はブリューパラメータに関連付けられ、前記ブリューパラメータは、粉砕済コーヒー豆の粒子径を含む、該ステップと、
前記プロセッサを用いて、前記ブリューパラメータの前記粉砕済コーヒー豆の粒子径に基づいて、グラインダを第１の設定値に設定するステップと、
前記第１の設定値に設定された前記グラインダを用いてコーヒー豆を粉砕し、第１の粉砕済コーヒー豆を製造するステップと、
前記プロセッサを用いて、前記第１の粉砕済コーヒー豆の一部及びキャリブレーションマークの画像を取得し、前記プロセッサを用いて、前記キャリブレーションマークに基づいて前記第１の粉砕済コーヒー豆の粒子径を求めるステップと、
前記プロセッサを用いて、前記識別子に関連付けられた前記粉砕済コーヒー豆の粒子径と、前記第１の粉砕済コーヒー豆の求められた粒子径とに基づいて、前記グラインダを第２の設定値に設定するステップと、
前記第２の設定値に設定された前記グラインダを用いて前記第１の粉砕済コーヒー豆を粉砕し、第２の粉砕済コーヒー豆を製造するステップとを含むことを特徴とする方法。
【請求項２】
前記識別子は、機械読み取り可能な媒体の形態にコード化され、前記機械読み取り可能な媒体は、非粉砕状態にあるコーヒー豆を入れて輸送するための容器に付着されることを特徴とする請求項１に記載の方法。
【請求項３】
前記コード化された機械読み取り可能な媒体が、前記容器に付着され、バーコード、ＱＲコード（登録商標）、ＲＦＩＤタグ、ＵＲＩコード識別子のうちの少なくとも１つを含むことを特徴とする請求項２に記載の方法。
【請求項４】
前記プロセッサを用いて、前記第１の粉砕済コーヒー豆の粉砕後粒子径を求める前記ステップが、前記画像の歪み効果を補正して補正画像を生成するステップを含み、
前記第１の粉砕済コーヒー豆及び前記キャリブレーションマークの画像データに対して同一の補正係数が適用されることを特徴とする請求項１に記載の方法。
【請求項５】
前記粉砕済コーヒー豆の粒子径を含む前記ブリューパラメータが、粒径分布、粒子面積分布、粒子体積分布、最小粒子径、最大粒子径、標準偏差のうちの少なくとも１つを含み、
前記粉砕済コーヒー豆の粉砕後粒子径を求める前記ステップが、前記粉砕済コーヒー豆に関して、前記ブリューパラメータに含まれる前記粒径分布、粒子面積分布、粒子体積分布、最小粒子径、最大粒子径、標準偏差のうちの少なくとも１つを求めるステップを含むことを特徴とする請求項１に記載の方法。
【請求項６】
前記ブリューパラメータが、前記粉砕済コーヒー豆に関して、水の量と粉砕済コーヒー豆の量の比率、水の温度、前記水及び粉砕済コーヒー豆の撹拌時間、前記水及び粉砕済コーヒー豆の浸漬時間、抽出圧力、パッキング圧力のうちの少なくとも１つをさらに含むことを特徴とする請求項１に記載の方法。
【請求項７】
当該方法が、前記ブリューパラメータをインタフェースに送信するステップをさらに含み、
前記プロセッサによりアクセス可能なデータベースにおいて、或る器具を用いて特定のブリューパラメータを獲得するための器具設定値が格納されており、
前記器具が抽出装置であり、該抽出装置を制御するプロセッサに前記インタフェースが接続されており、
当該方法が、前記水及び粉砕済コーヒー豆の撹拌時間並びに前記水及び粉砕済コーヒー豆の浸漬時間に関連付けられた前記抽出装置のための設定値を前記プロセッサに送信することにより前記抽出装置を制御するステップをさらに含むことを特徴とする請求項６に記載の方法。
【請求項８】
コーヒー飲料のためのコーヒー豆のブリューイングを制御するための命令が格納されている非一時的なコンピュータ読み取り可能な媒体であって、
前記命令が、
前記コーヒー飲料のための識別子を受信する命令であって、前記識別子はブリューパラメータに関連付けられ、前記ブリューパラメータは、粉砕済コーヒー豆の粒子径を含む、該命令と、
第１の命令をグラインダに送信して、前記粉砕済コーヒー豆の粒子径に従って前記グラインダを第１の設定値に設定し、前記グラインダに第１の粉砕済コーヒー豆を製造させる命令と、
前記第１の命令に従って前記グラインダにより製造された前記第１の粉砕済コーヒー豆の一部及びキャリブレーションマークの画像を取得し、前記キャリブレーションマークに基づいて前記第１の粉砕済コーヒー豆の粒子径を求める命令と、
第２の命令を前記グラインダに送信して、前記識別子に関連付けられた前記粉砕済コーヒー豆の粒子径と、前記第１の粉砕済コーヒー豆の求められた粒子径とに基づいて前記グラインダを第２の設定値に設定し、前記グラインダを用いて前記第１の粉砕済コーヒー豆を粉砕し、第２の粉砕済コーヒー豆を製造する命令とを含むことを特徴とするコンピュータ読み取り可能な媒体。
【請求項９】
前記識別子は、機械読み取り可能な媒体の形態にコード化され、前記機械読み取り可能な媒体は、非粉砕状態にあるコーヒー豆を入れて輸送するための容器に付着されることを特徴とする請求項８に記載の非一時的なコンピュータ読み取り可能な媒体。
【請求項１０】
前記コード化された機械読み取り可能な媒体が、前記容器に付着され、バーコード、ＱＲコード（登録商標）、ＲＦＩＤタグ、ＵＲＩコード識別子のうちの少なくとも１つを含むことを特徴とする請求項９に記載の非一時的なコンピュータ読み取り可能な媒体。
【請求項１１】
前記粉砕済コーヒー豆の粒子径を含む前記ブリューパラメータが、粒径分布、粒子面積分布、粒子体積分布、最小粒子径、最大粒子径、標準偏差のうちの少なくとも１つを含み、
前記粉砕済コーヒー豆の前記粉砕後粒子径を求める命令が、前記粉砕済コーヒー豆に関して、前記ブリューパラメータに含まれる前記粒径分布、粒子面積分布、粒子体積分布、最小粒子径、最大粒子径及び標準偏差のうちの前記少なくとも１つを求める命令を含むことを特徴とする請求項８に記載の非一時的なコンピュータ読み取り可能な媒体。